(57)【要約】【課題】熱伝逹媒体の流路を效率的に提供することができるバリアーを有するバッテリモジュールを提案する。【解決手段】複数のバッテリセルと、隣接するバッテリセルの間に設けられるバリアーと、を備え、前記バリアーは、開口部を有する第１側面部材と、開口部を有する第２側面部材と、前記第１側面部材から前記第２側面部材に延長される複数のブリッジと、を有することを特徴とするバッテリモジュール。【選択図】図２
2012146657.tif 000002
【特許請求の範囲】
【請求項１】
複数のバッテリセルと、
隣接するバッテリセルの間に設けられるバリアーと、
を備え、
前記バリアーは、
開口部を有する第１側面部材と、
開口部を有する第２側面部材と、
前記第１側面部材から前記第２側面部材に延長される複数のブリッジと、を有することを特徴とするバッテリモジュール。
【請求項２】
前記複数のブリッジのそれぞれは、少なくとも一つ以上の突出部が設けられていることを特徴とする請求項１に記載のバッテリモジュール。
【請求項３】
前記少なくとも一つ以上の突出部の厚さは、前記突出部が設けられているブリッジの厚さより厚いことを特徴とする請求項２に記載のバッテリモジュール。
【請求項４】
前記少なくとも一つ以上の突出部の高さは、前記突出部が設けられているブリッジの高さより高いことを特徴とする請求項２に記載のバッテリモジュール。
【請求項５】
前記少なくとも一つ以上の突出部は、ディスク型（Ｄｉｓｃ−Ｓｈａｐｅｄ）または多角形であることを特徴とする請求項２に記載のバッテリモジュール。
【請求項６】
前記第１側面部材及び前記第２側面部材は、隣接するバッテリセルの端を覆う平板状の部材であることを特徴とする請求項１に記載のバッテリモジュール。
【請求項７】
前記複数のブリッジは、前記第１側面部材及び前記第２側面部材の長さ方向に沿って互いに離隔されて設けられることを特徴とする請求項１に記載のバッテリモジュール。
【請求項８】
前記第１側面部材及び前記第２側面部材が有する開口部は、前記ブリッジと連結していない部分に形成されることを特徴とする請求項１に記載のバッテリモジュール。
【請求項９】
前記第１側面部材及び前記第２側面部材は、それぞれ複数の開口部を有することを特徴とする請求項１に記載のバッテリモジュール。
【請求項１０】
前記バリアーは、第１側面部材及び前記第２側面部材の間に延長される下部部材をさらに有し、
前記下部部材は、隣接するバッテリセルの底面を覆うことを特徴とする請求項１に記載のバッテリモジュール。
【請求項１１】
前記下部部材は、前記下部部材の長さ方向に沿って突出されたガイド部が設けられ、
前記ガイド部は、隣接するバッテリセルの間に介在されることを特徴とする請求項１０に記載のバッテリモジュール。
【請求項１２】
前記ガイド部は、前記下部部材を両分する位置に設けられることを特徴とする請求項１１に記載のバッテリモジュール。
【請求項１３】
前記下部部材の幅は、前記第１側面部材及び前記第２側面部材の幅に対応することを特徴とする請求項１０に記載のバッテリモジュール。
【請求項１４】
前記バッテリモジュールは、第１側面部材及び前記第２側面部材の間に延長される上部部材をさらに有し、
前記上部部材は、
前記第１側面部材及び前記第２側面部材と繋がれる支持部と、
隣接するバッテリセルのキャップ組立体を覆うよう、前記支持部から延長されたプランジ部と、を有することを特徴とする請求項１に記載のバッテリモジュール。
【請求項１５】
前記第１側面部材及び前記第２側面部材は、それぞれ隣接するバッテリセルのキャップ組立体の一部を覆い、それぞれの側面部材の角から前記バッテリセルに向かって延長される角固定部をさらに有することを特徴とする請求項１に記載のバッテリモジュール。
【請求項１６】
前記ブリッジの長さは、前記バッテリセルの幅に対応することを特徴とする請求項１に記載のバッテリモジュール。
【請求項１７】
前記バッテリモジュールは、前記バッテリセルと前記バリアーを収容するハウジングを備え、
前記ハウジングは、前記複数のバッテリセルの両端で互いに対向するように配置された一対のエンドプレート、及び前記一対のエンドプレートの一方から延長されて他方のエンドプレートに繋がれる連結部材を含むことを特徴とする請求項１に記載のバッテリモジュール。
【請求項１８】
複数のバッテリセルと、
隣接したバッテリセルの間に設けられるバリアーと、
を備え、
前記バリアーは、
開口部を有する第１側面部材と、
開口部を有する第２側面部材と、
前記第１側面部材から前記第２側面部材に延長され、前記第１側面部材及び前記第２側面部材の高さより低いブリッジと、を有することを特徴とするバッテリモジュール。
【発明の詳細な説明】
【技術分野】
【０００１】
本発明は、バッテリモジュールに関する。
【背景技術】
【０００２】
近年、高エネルギー密度の非水電解液を利用した高出力バッテリモジュールが開発されており、前記高出力バッテリモジュールは、高電力を必要とする器機、例えば、電気自動車などのモーターの駆動に使用できるように複数のバッテリセルを直列に連結して大容量のバッテリモジュールを構成する。
【０００３】
バッテリセルは、陽極板及び陰極板で構成される電極組立体と電解液を含み、これらの極板と電解液との電気化学的反応によってエネルギーを発生しえる。この際、バッテリセルの内部には電気化学的反応の副反応として気体が発生しえる。
【先行技術文献】
【特許文献】
【０００４】
【特許文献１】大韓民国特許公開第２００７−０１１７８２５号
【特許文献２】大韓民国特許公開第２００６−００６０８１３号
【発明の概要】
【発明が解決しようとする課題】
【０００５】
このような気体は、バッテリセルの外形を変化させることがあり、これによって複数のバッテリセルを整列して形成するバッテリモジュールの形態に影響がおよび、前記バッテリセルを堅固に固定させることが困難となる。
【０００６】
したがって、本発明は前記事情に鑑みてなされたものであって、その目的は、熱伝逹媒体の流路を效率的に提供することができるバリアーを有するバッテリモジュールを提供することである。
【課題を解決するための手段】
【０００７】
前記目的を達成するための本発明の特徴によれば、一方向に整列された複数のバッテリセルと、前記複数のバッテリセルの間に介在されるバリアーと、前記バッテリセルとバリアーを収容するハウジングとを含み、前記バリアーは複数の突出部を具備した一つ以上のブリッジと、前記ブリッジの一端及び他端にそれぞれ繋がれる第１及び第２側面部材とを含み、前記第１及び第２側面部材は一つ以上の開口部が具備されるバッテリモジュールと、を含む。
【０００８】
また、前記ハウジングは、前記バッテリセルの外側に配置された一対の第１及び第２エンドプレート及び前記第１及び第２エンドプレートを連結する連結部材を含むことができる。この際、前記連結部材はバッテリセルの両側面を支持するサイドプレート及びバッテリセルの底面を支持するボトムプレートを含むことができる。
【０００９】
また、前記ブリッジは、バッテリセルの幅に対応する長さに具備され、前記突出部は前記ブリッジ上に一定の間隔で離隔されて具備することができる。
【００１０】
また、前記ブリッジは、複数が並ぶように整列されて具備されるが、前記バッテリセルの長さ方向に一定の間隔で離隔されて具備することができる。
【００１１】
前記突出部は、円形または多角形筒状に具備することができる。
【００１２】
前記開口部は、前記第１または第２側面部材で前記ブリッジの一端及び他端と繋がれない部分に具備することができる。
【００１３】
前記第１または第２側面部材は、バッテリセルの長さ方向に並ぶように具備され、前記ブリッジと垂直に繋がれることができる。
【００１４】
前記第１または第２側面部材は、バッテリセルの側面に対面するように具備される四角形の平板になりうる。
【００１５】
前記ブリッジは、複数が第１または第２側面部材の長さ方向に離隔されて繋がれるが、前記第１または第２側面部材の中心部に具備することができる。
【００１６】
前記開口部は、第１または第２側面部材の長さ方向に離隔されて具備される複数のホールを含むことができる。
【００１７】
前記バリアーは、第１及び第２側面部材を連結するが、前記バッテリセルの底面に対応するように具備される下部部材をさらに含むことができる。
【００１８】
前記下部部材は、前記第１及び第２側面部材から延長されて具備されるが、前記第１及び第２側面部材と同じ幅に具備することができる。
【００１９】
この際、前記下部部材は、前記下部部材の中心から上部側に突き出されて具備されるガイド部をさらに含むことができる。
【００２０】
また、前記ガイド部はブリッジと並ぶように具備されるが、前記第１側面部材の一端と第２側面部材の一端を連結するように延長されて具備することができる。
【００２１】
前記バリアーは、第１及び第２側面部材を連結するが、前記バッテリセルのキャップ組立体に対応するように具備される上部部材をさらに含むことができる。
【００２２】
前記第１または第２側面部材は、前記バッテリセルの側面に対応するように具備されるが、前記バッテリセルの上部角で折り曲げられバッテリセルのキャップ組立体の一部を取り囲むように延長されることができる。
【発明の効果】
【００２３】
以上のような本発明によれば、バッテリセルの間に熱伝逹媒体の流路を效率的に提供することができるバリアーを具備したバッテリモジュールを提供することができる。
【図面の簡単な説明】
【００２４】
【図１】本発明の好ましい実施例によるバッテリモジュールの斜視図である。
【図２】図１に図示したバッテリモジュールの分解斜視図である。
【図３】本実施例によるバッテリセルに介在されたバリアーの斜視図である。
【図４Ａ】本実施例によるバリアーの斜視図である。
【図４Ｂ】本実施例によるバリアーの側面図である。
【図５Ａ】本発明の他の実施例によるバリアーの斜視図である。
【図５Ｂ】図５Ａのバリアーの側面図である。
【図６Ａ】本発明のさらに他の実施例によるバリアーの斜視図である。
【図６Ｂ】図６Ａのバリアーの側面図である。
【図７Ａ】本発明のその他の実施例によるバリアーの斜視図である。
【図７Ｂ】図７Ａのバリアーの側面図である。
【図８Ａ】本発明のその他の実施例によるバリアーの斜視図である。
【図８Ｂ】図８Ａのバリアーの側面図である。
【発明を実施するための形態】
【００２５】
本発明の利点及び特徴、そしてそれらを実現する方法について、以下複数の実施例において図面を参照して詳細に説明する。しかし、本発明は以下に開示される実施例等に限定されるものではなく、互いに異なる多様な形態で実施してもよい。
【００２６】
例えば、以下の説明において、いずれかの部分が他の部分に繋がれていると説明した場合、直接的に繋がれている場合のみならず、その中間に他の素子を間に置いて電気的に繋がれている場合も含む。また、本発明の説明を明確にさせるために、参照する図面において、本発明と関係のない部分は省略している。また、参照する図面において、本明細書全体を通じて類似する部分については同じ符号を付した。以下、添付された図面を参照して本発明の一実施例について説明する。
【００２７】
（本発明の一実施例）
図１は、本発明の好ましい実施例によるバッテリモジュールの斜視図である。図２は、図１に図示したバッテリモジュールの分解斜視図である。
【００２８】
図１及び図２に示すように、本発明の好ましい実施例によるバッテリモジュール１００は、一方向に整列された複数のバッテリセル１０、複数のバッテリセル１０の間に介在されるバリアー１５０、バッテリセル１０およびバリアー１５０を収容するハウジング（第１エンドプレート１１０、第２エンドプレート１２０、連結部材１３０、連結部材１４０）を含む。バリアー１５０は、複数の突出部１５４を具備した一つ以上のブリッジ１５３、ブリッジ１５３の両端にそれぞれ繋がれる（連結される）第１側面部材１５１及び第２側面部材１５２から成る。また、第１側面部材１５１及び第２側面部材１５２は、一つ以上の開口部を有する。
【００２９】
バッテリセル１０は、電極組立体と電解液を電池ケースに収容させた後、電池ケースをキャップ組立体１４で密閉させることで製造され、電池ケースの底面は一般的にキャップ組立体１４に対抗して具備される。
【００３０】
キャップ組立体１４は、キャップ組立体１４上の両端に具備される陽極端子１１及び陰極端子１２と、陽極端子１１及び陰極端子１２の間に設けられるベント１３を含む。
【００３１】
電極組立体は、陽極板及び陰極板と、これらの極板の間に介在されたセパレーターからなる。陽極板は、陽極端子１１と繋がれて、陰極板は陰極端子１２と繋がれて、電極組立体及び電解液の電気化学的な反応によって発生するエネルギーは外部へ伝達される。また、ベント１３はバッテリセル１０の内部で発生する気体を外部へ放出する通路の役目をする。
【００３２】
ハウジングは、複数のバッテリセル１０とバリアー１５０を固定し、バッテリモジュール１００を形成するための部材である。例えば、ハウジングは、整列されたバッテリセル１０の両端で互いに対向するように配置された一対のエンドプレート（第１エンドプレート１１０及び第２エンドプレート１２０）および当該一対のエンドプレートを連結する連結部材１３０、１４０であってもよい。
【００３３】
第１エンドプレート１１０及び第２エンドプレート１２０と、連結部材１３０、１４０は、複数のバッテリセル１０を収容するために一定の空間を区画し、この区画された空間の中にバッテリセル１０が一方向に整列される。この際、バッテリセル１０は、バッテリセル１０を形成する面のうち広い面が互いに対向するよう整列される。そして、隣り合う二つのバッテリセル１０の陽極端子１１または陰極端子１２はバスバー（ＢＵｓ  ｂａｒ）１５を介して電気的に連結される。バスバー１５には、陽極端子１１及び陰極端子１２が貫通できるホールが具備され、ホールを介して陽極端子１１及び陰極端子１２が貫通して繋がれたバスバー１５はナット１６などの部材によって固定することができる。
【００３４】
連結部材１３０は、例えばバッテリセル１０の両側面を支持するサイドプレートであってもよい（以下、サイドプレート１３０と称す）。また、連結部材１４０は、バッテリセル１０の底面を支持するボトムプレートであってもよい（以下、ボトムプレート１４０と称す）。一対のサイドプレート１３０は、バッテリセル１０の両側面を支持し、また、ボトムプレート１４０はバッテリセル１０の底面を支持することができる。サイドプレート１３０とボトムプレート１４０の一端はそれぞれ第１エンドプレート１１０に締結され、他端は第２エンドプレート１２０に締結されることで、第１エンドプレート１１０及び第２エンドプレート１２０を連結することができる。この際、締結はボルトおよびナットなどによって遂行されうるが、これに制限されるのではない。
【００３５】
第１エンドプレート１１０及び第２エンドプレート１２０は、それぞれ両端に具備されるバッテリセル１０と面接触するように配置され、複数のバッテリセル１０を内側に加圧（例えば、複数のバッテリセルが互いに圧縮されるように）することができる。この際、第１エンドプレート１１０及び第２エンドプレート１２０によって支持される複数のバッテリセル１０は、陽極端子１１及び陰極端子１２が互いに相互配置されるように整列され、隣り合う端子を直列になるように連結することができる。
【００３６】
前述した第１エンドプレート１１０及び第２エンドプレート１２０と一対のサイドプレート１３０及びボトムプレート１４０は、複数のバッテリセル１０を安定的に固定するためであり、本実施例の形態に制限されずに多様に変形して実施することができる。また、バッテリセル１０の連結構造及びバッテリセル１０の個数は、バッテリモジュール１００の設計によって多様に変形することができる。
【００３７】
図３は、本実施例によるバッテリセルに介在されたバリアーの斜視図で、図４Ａは本実施例によるバリアーの斜視図で、図４Ｂは本実施例によるバリアーの側面図である。
【００３８】
図３ないし図４Ｂに示すように、複数のバッテリセル１０の間に介在されるバリアー１５０は、突出部１５４を具備した一つ以上のブリッジ１５３と、ブリッジ１５３の一端及び他端にそれぞれ繋がれる第１側面部材１５１及び第２側面部材１５２を含むことができる。また、第１側面部材１５１及び第２側面部材１５２は、一つ以上の開口部１５１ｂ、１５２ｂを具備することができる。また、第１側面部材１５１または第２側面部材１５２は、バッテリセル１０の長さ方向に並んでいるように具備され、ブリッジ１５３と垂直に繋がれることができる。
【００３９】
ブリッジ１５３は、一般的にバッテリセル１０の幅に対応する長さに具備され、突出部１５４は、ブリッジ１５３上に一定の間隔で離隔されて具備されうる。また、ブリッジ１５３は、複数が並んでいるように整列され、また、バッテリセル１０の長さ方向に一定の間隔で離隔されて具備される。
【００４０】
バリアー１５０は、隣り合うバッテリセル１０の間に介在されて（設けられて）、隣り合うバッテリセル１０を互いに離隔させることができる。したがって、バリアー１５０を設ける（介在する、挟む）ことによってバッテリセル１０の間には空間が具備されうる。このような空間は、複数回の充放電の過程でバッテリセル１０から発生する熱が累積しないように熱を放出する通路の役目を有する。また、空間はバッテリセル１０の冷却または加熱のための熱伝逹媒体の通路（Ｕ１〜Ｕ２）にもなりうる。すなわち、熱伝逹媒体は、バッテリモジュール１００の一側から流入Ｕ１されてバリアー１５０によって具備された空間を通過しながら、バッテリセル１０の広い面と直接対面して熱交換をしてバッテリモジュール１００の他側へ排出Ｕ２されてバッテリセル１０が所定の温度で維持するようにする。
【００４１】
ここで、バリアーが、バッテリセルに対面する板状部材と板状部材から突出する突出部から成る場合、板状部材はバッテリセルの広い全面と対面するので、突出部によって離隔された空間のみが熱伝逹媒体の移動通路として作用する。
【００４２】
一方、本実施例によるバリアー１５０は、ブリッジ１５３と、ブリッジ１５３に具備され、ブリッジ１５３の厚さより厚い（ブリッジ１５３から突出する）突出部１５４から成る。したがって、上述した板状部材から成る場合とは異なり、本実施例では、バッテリセル１０と接触する突出部１５４によって生じた空間だけでなく、複数のブリッジ１５３の間の空間をも熱伝逹媒体の通路とすることが可能である。したがって、同一の体積を有するバッテリモジュールであっても、本実施例によるバリアーを採用したバッテリモジュールでは、熱伝逹媒体の移動通路が増加し、短時間内に効果的にバッテリセルを加熱または冷却させることができる。また、バッテリセルの熱交換效率が向上するので、必要な熱伝逹媒体量を減少させることができるので、コストを低減することができる。また、本実施例によるバッテリモジュールは、筒状の板状部材からなるバリアーを採用したバッテリモジュールに比べて、体積が減少化し、かつ軽量化されたバッテリモジュールを提供するための新しいタイプのバリアーを提供することができる。
【００４３】
図４Ａ及び図４Ｂに示すように、バリアー１５０は、ブリッジ１５３に連結する第１側面部材１５１または第２側面部材１５２を含む。また、第１側面部材１５１または第２側面部材１５２は、バッテリセル１０の側面に対面し、かつバッテリセル１０の端を覆うよう設けられる平板状の部材であってもよい。なお、図４Ａ及び図４Ｂでは、一例として、第１側面部材１５１および第２側面部材１５２が四角形の平板により実現される。
【００４４】
第１側面部材１５１または第２側面部材１５２は、複数のブリッジ１５３を離隔させると同時に一列に整列されるように具備させることができる。また、同時に第１側面部材１５１または第２側面部材１５２はバッテリセル１０の側面と対応する形態に具備されてバリアー１５０の基本フレームを提供することができる。
【００４５】
バリアー１５０において、ブリッジ１５３はバッテリセル１０の広い面と対応するように設けられ、第１側面部材１５１または第２側面部材１５２はバッテリセル１０の両側面に対応するように設けられる。ここで、複数のブリッジ１５３は、第１側面部材１５１及び第２側面部材１５２の長さ方向に沿って互いに離隔され、また複数のブリッジ１５３は、第１側面部材１５１及び第２側面部材１５２の中心部に連結されてもよい。例えば、ブリッジ１５３を第１側面部材１５１から第２側面部材１５２に延長するよう設けることで、ブリッジ１５３、第１側面部材１５１、および第２側面部材１５２は互いに連結される。
【００４６】
ここで、通常、複数のバッテリセル１０は、軽量化するために一体型ハウジングを利用せず、ブラケットまたはプレートのような部材により連結されてバッテリセル１０が固定される。このような部材らは、一体型ハウジングに比べてバッテリセル１０の固定力が低下されうる。これを補うために、このような部材の数を増加させると、バッテリセル１０を固定する力は増加されるが、一体型ハウジングに比べて軽量化の程度が不十分になることがある。
【００４７】
したがって、ハウジングを軽量化させつつも、かつバッテリセル１０を堅固に固定させるために、バリアー１５０の第１側面部材１５１または第２側面部材１５２を、バッテリセル１０の側面に対面するよう設けられる四角形の平板状の部材で実現してもよい。そして、第１側面部材１５１または第２側面部材１５２の中心部において、ほぼ垂直になるように（例えば、おおよそ９０゜の角度で）ブリッジ１５３と繋がれる（連結される）ことで、平板状の部材の全面がバッテリセル１０の側面に接触し、バッテリセル１０をより堅固に固定することができる。
【００４８】
また、第１側面部材１５１および第２側面部材１５２は、図４Ａおよび図４Ｂに示すように、それぞれ一つ以上の開口部１５１ｂ、１５２ｂを有する。開口部１５１ｂ、１５２ｂは熱伝逹媒体の流入口または排出口として作用する。また、開口部１５１ｂ、１５２ｂは、第１側面部材１５１、第２側面部材１５２において、ブリッジ１５３と繋がれていない部分に形成される。
【００４９】
本発明のブリッジ１５３からなるバリアー１５０の形態を維持するために、ブリッジ１５３の一端は第１側面部材１５１と、ブリッジ１５３の他端は第２側面部材１５２と繋がれて結合されうる。このように結合される部位を結合部１５１ａ、１５２ａとした時、結合部１５１ａ、１５２ａはブリッジ１５３の一端及び他端に対応されるよう具備される。すなわち、結合部１５１ａ、１５２ａは、バッテリセル１０の長さ方向に、結合部１５１ａ、１５２ａの長さがブリッジ１５３の一端及び他端の長さに対応するよう具備されることが好ましい。また、開口部１５１ｂ、１５２ｂは、バッテリセル１０の長さ方向に、ブリッジ１５３が結合される部分である結合部１５１ａ、１５２ａを除く部分に具備され、結合部１５１ａ、１５２ａと交互に設けることができる。
【００５０】
第１側面部材１５１、第２側面部材１５２に結合部１５１ａ、１５２ａと開口部１５１ｂ、１５２ｂを具備させることができる。第１側面部材１５１及び第２側面部材１５２は、バッテリセル１０の側面を固定すると同時に、ブリッジ１５３と繋がれ、さらにバッテリセル１０とブリッジ１５３との間を通過する熱伝逹媒体の流入口または排出口（図３のＵ１、Ｕ２参照）の役目も担う。第１側面部材１５１、第２側面部材１５２に結合部１５１ａ、１５２ａと開口部１５１ｂ、１５２ｂを具備させることができる。
【００５１】
開口部１５１ｂ、１５２ｂは、第１側面部材１５１または第２側面部材１５２の長さ方向に離隔されて具備される複数のホールである。この際、開口部１５１ｂ、１５２ｂは、四角形態のホールを含むことができる。第１側面部材１５１及び第２側面部材１５２で、開口部１５１ｂ、１５２ｂを結合部１５１ａ、１５２ａと結合部１５１ａ、１５２ａとの間に具備させるが、開口部１５１ｂ、１５２ｂを四角形態のホールで具備させることで、バッテリセル１０の熱交換效率を増加させ、バリアー１５０を所定の強度以上に維持させることができる。
【００５２】
（本発明の他の実施例）
次に、図５Ａないし図８Ｂを参照して本発明の他の実施例について説明する。なお、図１ないし図４Ｂで説明した実施例と同様の内容については説明を省略する。
【００５３】
図５Ａは、本発明の他の実施例によるバリアーの斜視図で、図５Ｂは本発明の他の実施例によるバリアーの側面図である。図５Ａ及び図５Ｂに示すように、バリアー２５０は、一つ以上の突出部２５４を具備したブリッジ２５３と、ブリッジ２５３に連結する第１側面部材２５１および第２側面部材２５２を含む。また、第１側面部材２５１および第２側面部材２５２は、ブリッジ２５３と繋がれて結合される部分である結合部２５１ａ、２５２ａと結合部２５１ａ、２５２ａの間に設けられる開口部２５１ｂ、２５２ｂを含む。
【００５４】
開口部２５１ｂ、２５２ｂは、熱伝逹媒体の流入口または排出口の役目を有し、バッテリセルの熱交換效率を向上させるためには開口部２５１ｂ、２５２ｂのサイズが大きいほど好ましい。すなわち、開口部２５１ｂ、２５２ｂのサイズを大きくするためには、相対的に結合部２５１ａ、２５２ａの占める面積が小さいほど有利である。したがって、ブリッジ２５３の厚さを減少させ、ブリッジ２５３と結合される結合部２５１ａ、２５２ａの面積を小さくし、さらに、バッテリセルとバリアー２５０との間に具備されるブリッジ２５３の面積を減少させることで、バッテリセルと熱伝逹媒体の接触面積を増加させることができる。また、本実施例のように開口部２５１ｂ、２５２ｂのサイズを大きくすると、結果的に結合部２５１ａ、２５２ａ及びブリッジ２５３のサイズを小さくなるので、バッテリモジュールを一層軽量化させることができる。
【００５５】
（本発明のさらに他の実施例）
図６Ａは、本発明のさらに他の実施例によるバリアーの斜視図で、図６Ｂは本発明のさらに他の実施例によるバリアーの側面図である。図６Ａ及び図６Ｂに示すように、バリアー３５０は、ブリッジ３５３、ブリッジ３５３と結合する結合部３５１ａ、３５２ａと開口部３５１ｂ、３５２ｂを含む第１側面部材３５１および第２３５２を含むことができる。また、ブリッジ３５３は一つ以上の突出部３５４を含むことができる。
【００５６】
突出部３５４は、ブリッジ２５３上に突き出されるように（ブリッジ２５３の厚さより厚く）具備されて、バッテリセルと直接に接することができる。突出部３５４は、隣り合うバッテリセルを効果的に離隔させると同時に、バッテリセルと面接触することで、バッテリセルとの隔離距離を安定的に維持させることができる。また、図６Ａでは、突出部３５４を多角形の柱状としたが、この他例えば円形の柱状であってもよい。
【００５７】
（本発明のその他の実施例）
図７Ａは、本発明のその他の実施例によるバリアーの斜視図で、図７Ｂは本発明のその他の実施例によるバリアーの側面図である。図７Ａ及び図７Ｂに示すように、バリアー４５０は一つ以上の突出部４５４を具備したブリッジ４５３と、ブリッジ４５３に連結する第１側面部材４５１および第２側面部材４５２を含むことができる。また、第１側面部材４５１、第２側面部材４５２は、ブリッジ４５３と結合する結合部４５１ａ、４５２ａと、熱伝逹媒体の通路になる開口部４５１ｂ、４５２ｂを含むことができる。また、バリアー４５０は、第１側面部材４５１及び第２側面部材４５２を連結し、かつバッテリセルの底面に対応するように具備される下部部材４５５をさらに含むことができる。
【００５８】
下部部材４５５は、第１側面部材４５１及び第２側面部材４５２を延長するように具備され、また、第１側面部材４５１及び第２側面部材４５２と同じ幅で具備される。下部部材４５５は、バッテリセルの底面を支持してバッテリセルをさらに堅固に固定することができる。また、第１側面部材４５１及び第２側面部材４５２を連結することで、バリアー４５０の機械的強度を補強することができる。
【００５９】
また、下部部材４５５は、下部部材４５５の中心に（両分する位置に）、上部側に突き出すガイド部４５６が設けられる。ガイド部４５６は、ブリッジ４５３と同方向に並ぶよう、第１側面部材４５１の下部と第２側面部材４５２の下部を連結するように延長されて設けられる。
【００６０】
バリアー４５０の下部部材４５５は、ブリッジ４５３によって離隔された隣り合うバッテリセルの底面が安着される部分で、バッテリセルは突出部４５４を具備したブリッジ４５３によって離隔された間隔ほど互いに離隔されて具備されうる。この時、下部部材４５５に具備されたガイド部４５６は、隣り合うバッテリセルの底面の位置をガイドし、またバッテリセルの下部部材の側面部材と対面するように具備されるので、震動などの外力に対してバッテリセルを安定的に固定させることができる。
【００６１】
また、ガイド部４５６は下部部材４５５の略中心に具備されて、ガイド部４５６の一端４５６ａが第１側面部材４５１の一端と接し、ガイド部４５６の他端４５６ｂが第２側面部材４５２の一端と接するように具備することができる。ガイド部４５６が第１側面部材４５１及び第２側面部材４５２を互いに連結するように具備されることで、バッテリセルの底面をさらに安定的に固定させることができる。
【００６２】
（本発明のさらにその他の実施例）
図８Ａは、本発明のさらにその他の実施例によるバリアーの斜視図で、図８Ｂは本発明のさらにその他の実施例によるバリアーの側面図である。図８Ａ及び図８Ｂに示すように、バリアー５５０は一つ以上の突出部５５４を具備したブリッジ５５３と、ブリッジ５５３に連結する第１側面部材５５１および第２側面部材５５２を含むことができる。また、第１側面部材５５１または第２側面部材５５２は、結合部５５１ａ、５５２ａと開口部５５１ｂ、５５２ｂを含むことができる。バリアー５５０は、第１側面部材５５１及び第２側面部材５５２を連結し、かつバッテリセルの底面に対応するように具備される下部部材５５５を含むことができる。この時、下部部材５５５には、隣り合うバッテリセルの底面の位置をガイドするガイド部５５６を具備することができる。
【００６３】
本実施例によるバリアー５５０は、第１側面部材５５１または第２側面部材５５２がバッテリセルの側面に対応するように具備され、また、バッテリセルの上部角で折り曲げられてバッテリセルのキャップ組立体の一部を覆うように延長されるバッテリセルの角固定部５５１ｃ、５５２ｃをさらに含むことができる。このように具備された角固定部５５１ｃ、５５２ｃは、バッテリセルの上部面の両側角を固定することができる。したがって、バリアー５５０は、バッテリセルの両側面、底面及びキャップ組立体の少なくとも一部を覆うように具備されることで、外力によってバッテリセルが震動しないように堅固に固定させることができる。
【００６４】
また、バリアー５５０は、第１側面部材５５１及び第２側面部材５５２を連結し、また、バッテリセルに対応するように具備される上部部材５５７をさらに含むことができる。具体的には、例えば上部部材５５７は、第１側面部材５５１及び第２側面部材５５２から延長される両方角固定部５５１ｃ、５５２ｃがさらに延長されたように具備されるので、バリアー５５０は、図８Ａに示すように、内部にブリッジ５５３を含む四角形のフレーム形状になる。
【００６５】
上部部材５５７は、ブリッジ５５３と並んでいるように具備されて、バッテリセルの上部面とキャップ組立体が連結される部分に接する支持部５５７ａと前記支持部５５７ａの略中心部で折り曲げられたプランジ部５５６ｂを含むことができる。
【００６６】
支持部５５７ａは、略突出部５５４を具備したブリッジ５５３と類似する厚さで具備され、ブリッジ５５３と離隔されて整列されるように具備される。したがって、支持部５５７ａの一端は第１側面部材５５１の角固定部５５１ｃから延長され、支持部５５７ａの他端は第２側面部材５５２の角固定部５５２ｃと繋がれる。このように、支持部５５７ａはブリッジ５５２と、下部部材５５５に具備されるガイド部５５６と互いに並んでいるように整列され、隣り合うバッテリセルの間に介在されうる。
【００６７】
支持部５５７ａの略中心部で折り曲げられたプランジ部５５７ｂは、バッテリセルのキャップ組立体に対応するように具備することができる。キャップ組立体には前述したように、陽極端子及び陰極端子などの多様な部材が具備されうる。プランジ部５５７ｂは、キャップ組立体の形態に対応するように具備され、この時、キャップ組立体に具備される部材の形態に応じて互いに干渉しないように具備される。このように、上部部材５５７により、支持部５５７ａが両側角固定部５５１ｃ、５５２ｃと繋がれるので、バリアー５５０の強度が向上する。また、プランジ部５５７ｂが延長されるように支持するので、プランジ部５５７ｂは、バッテリセルのキャップ組立体を下側に加圧してバッテリセルを堅固に固定することができる。
【００６８】
以上のように、本発明の最も好ましい実施形態について説明したが、本願発明は、上記記載に限定されるものではなく、特許請求の範囲に記載され、又は明細書に開示された発明の要旨に基づき、当業者が様々な変形や変更が可能であることはもちろんであり、かかる変形や変更が、本発明の範囲に含まれることは言うまでもない。
【符号の説明】
【００６９】
１０  バッテリセル
１１  陽極端子
１２  陰極端子
１３  ベント
１４  キャップ組立体
１５  バスバー
１６  ナット
１００  バッテリモジュール
１１０、１２０  第１及び第２エンドプレート
１３０  サイドプレート
１４０  ボトムプレート
１５０、２５０、３５０、４５０、５５０  バリアー
１５１、２５１、３５１、４５１、５５１  第１側面部材
１５２、２５２、３５２、４５２、５５２  第２側面部材
１５１ａ、１５２ａ、２５１ａ、２５２ａ、３５１ａ、３５２ａ、４５１ａ、４５２ａ、５５１ａ、５５２ａ  結合部
１５１ｂ、１５２ｂ、２５１ｂ、２５２ｂ、３５１ｂ、３５２ｂ、４５１ｂ、４５２ｂ、５５１ｂ、５５２ｂ  開口部
１５３、２５３、３５３、４５３、５５３  ブリッジ
１５４、２５４、３５４、４５４、５５４  突出部
４５５、５５５  下部部材
４５６、５５６  ガイド部
５５１ｃ、５５２ｃ  角固定部
５５７  上部部材
５５７ａ  支持部
５５７ｂ  プランジ部
【図１】
2012146657.tif 000003
【図２】
2012146657.tif 000004
【図３】
2012146657.tif 000005
【図４Ａ】
2012146657.tif 000006
【図４Ｂ】
2012146657.tif 000007
【図５Ａ】
2012146657.tif 000008
【図５Ｂ】
2012146657.tif 000009
【図６Ａ】
2012146657.tif 000010
【図６Ｂ】
2012146657.tif 000011
【図７Ａ】
2012146657.tif 000012
【図７Ｂ】
2012146657.tif 000013
【図８Ａ】
2012146657.tif 000014
【図８Ｂ】
2012146657.tif 000015